(57)【要約】【課題】使用者が近距離で表示装置本体を視聴するのを十分に抑制することが可能な表示装置を提供する。【解決手段】この液晶テレビジョン１（表示装置）は、測距ボタン６８と、測距ボタン６８に入力された際に所定の信号を送信する送信部６６とを含むリモコン送信機６０と、リモコン送信機６０の送信部６６から送信された所定の信号を受信するリモコン受信部３８と、表示画面部１０と、リモコン受信部３８が受信した所定の信号に基づいてリモコン受信部３８と送信部６６との間の距離を検出するとともに、時間間隔ｔ１でリモコン受信部３８から所定の距離を隔てた位置よりリモコン送信機６０の測距ボタン６８の入力を促すメッセージを表示画面部１０に表示させる距離監視モードを有する制御部３７とを含む液晶テレビジョン本体１００とを備える。【選択図】図２
2009044692.tif 000002
【特許請求の範囲】
【請求項１】
距離測定入力部と、前記距離測定入力部に入力された際に所定の信号を送信する送信部とを含むリモコン送信機と、
前記リモコン送信機の送信部から送信された所定の信号を受信する受信部と、表示部と、前記受信部が受信した所定の信号に基づいて前記受信部と前記送信部との間の距離を検出するとともに、第１の時間間隔で前記リモコン送信機の距離測定入力部の入力を促すメッセージを前記表示部に表示させる距離監視モードに制御可能な制御部とを含む表示装置本体とを備える、表示装置。
【請求項２】
前記表示装置本体の制御部は、前記受信部と前記送信部との間の距離が所定の距離よりも小さいと判断した場合に、前記表示装置本体の電源をオフにするように構成されている、請求項１に記載の表示装置。
【請求項３】
前記表示装置本体は、前記リモコン送信機の送信部と前記表示装置本体の受信部との距離を記憶可能な記憶部をさらに含み、
前記記憶部は、前記制御部により検出された距離を前記所定の距離として記憶可能に構成されている、請求項２に記載の表示装置。
【請求項４】
前記表示装置本体の制御部は、前記使用者に対して前記リモコン送信機の距離測定入力部の入力を促すメッセージを表示した後第２の時間が経過する前に、前記受信部が前記所定の信号を受信しない場合に、前記表示装置本体の電源をオフにするように構成されている、請求項１〜３のいずれか１項に記載の表示装置。
【請求項５】
前記表示装置本体の制御部は、第１の時間間隔で使用者に対して前記リモコン送信機の距離測定入力部の入力を促すメッセージを前記表示部に表示させる距離監視モードと、前記メッセージを前記表示部に表示させない非距離監視モードとを切替可能に構成されている、請求項１〜４のいずれか１項に記載の表示装置。
【発明の詳細な説明】
【技術分野】
【０００１】
この発明は、表示装置に関し、特に、リモコン送信機と表示装置本体とを備えた表示装置に関する。
【背景技術】
【０００２】
従来、リモコン送信機と表示装置本体とを備えた表示装置などが知られている（たとえば、特許文献１〜３参照）。
【０００３】
上記特許文献１には、赤外線信号を送信可能なリモコン（リモコン送信機）と、リモコンから送信された信号を受信可能なテレビ（表示装置本体）とを備えたテレビのリモコン位置検出装置が開示されている。この特許文献１に記載のリモコン位置検出装置は、テレビとリモコンとの距離を測定可能に構成されており、テレビとリモコンとの距離を測定することによって、テレビの音量を適当な音量に補正するように構成されている。
【０００４】
また、上記特許文献２には、光信号を出力する発光素子が設けられた遠隔操作制御装置（リモコン送信機）と、光信号を受光可能で、かつ、ＯＳＤ（オンスクリーンディスプレイ）を表示可能な画面を有する表示装置（表示装置本体）とを備えた情報表示装置が開示されている。この特許文献２に記載の情報表示装置は、遠隔操作制御装置と表示装置との距離を測定可能に構成されており、遠隔操作制御装置と表示装置との距離に基づいて、画面に表示されるＯＳＤの大きさが最適な大きさになるように制御可能に構成されている。
【０００５】
また、上記特許文献３には、複数のキーを操作することにより赤外線および音波を発生させる赤外線発光器および音波発生器が設けられているリモコン送信機と、リモコン送信機の赤外線発光器および音波発生器から発生された赤外線および音波を受信可能な液晶テレビジョン装置（表示装置本体）とを備えたリモコンシステムが開示されている。この特許文献３に記載のリモコンシステムは、赤外線と音波との伝播時間の相違に基づいてリモコン送信機と液晶テレビジョンとの距離を測定可能に構成されており、リモコン送信機に対して通常の操作を行った際に、測定した距離に基づいて、リモコン送信機が予め設定された視聴可能エリアに位置しているか否かを判断するように構成されている。そして、この特許文献３に記載のリモコンシステムは、視聴者が視聴可能エリアに位置していないと判断した場合には、液晶テレビジョンの電源をオフにするように構成されている。
【０００６】
【特許文献１】実開平１−１０９８６７号公報
【特許文献２】特開２００４−２８７１６８号公報
【特許文献３】特開２００４−９６５９９号公報
【発明の開示】
【発明が解決しようとする課題】
【０００７】
しかしながら、上記特許文献１に記載のテレビのリモコン位置検出装置では、近距離でテレビ（表示装置本体）を視聴するのを抑制する内容が開示されていない。
【０００８】
また、上記特許文献２に記載の情報表示装置においても、近距離で画面（表示装置本体）を視るのを抑制する内容が開示されていない。
【０００９】
また、上記特許文献３に記載のリモコンシステムでは、リモコン送信機に対して通常の操作を行った際に、リモコン送信機が予め設定された視聴可能エリアに位置しているか否かを判断するように構成されているため、視聴者が視聴可能エリア内でリモコン送信機の操作を行った後に液晶テレビジョン装置（表示装置本体）に近い視聴可能エリアの外に移動した場合には、視聴者が視聴可能エリアに位置しているか否かを判断しないという不都合がある。このため、上記特許文献３に記載のリモコンシステムでは、使用者が近距離で液晶テレビジョンを視聴するのを十分に抑制することができないという問題点がある。
【００１０】
この発明は、上記のような課題を解決するためになされたものであり、この発明の１つの目的は、使用者が近距離で表示装置本体を視聴するのを十分に抑制することが可能な表示装置を提供することである。
【課題を解決するための手段および発明の効果】
【００１１】
この発明の一の局面による表示装置は、距離測定入力部と、距離測定入力部に入力された際に所定の信号を送信する送信部とを含むリモコン送信機と、リモコン送信機の送信部から送信された所定の信号を受信する受信部と、表示部と、受信部が受信した所定の信号に基づいて受信部と送信部との間の距離を検出するとともに、第１の時間間隔でリモコン送信機の距離測定入力部の入力を促すメッセージを表示部に表示させる距離監視モードに制御可能な制御部とを含む表示装置本体とを備える。
【００１２】
この一の局面による表示装置では、上記のように、第１の時間間隔でリモコン送信機の距離測定入力部の入力を促すようにメッセージを表示部に表示させる距離監視モードに制御可能な制御部を含む表示装置本体を設けることによって、使用者が表示装置本体に近づいている場合に、表示装置本体に近づきすぎていることを、使用者に対して認識させやすくすることができる。これにより、第１の時間間隔でリモコン送信機の距離測定入力部の入力を促すメッセージを表示部に表示させない場合と比べて、使用者が近距離で表示装置本体を視聴するのを抑制することができる。
【００１３】
上記一の局面による表示装置において、好ましくは、表示装置本体の制御部は、受信部と送信部との間の距離が所定の距離よりも小さいと判断した場合に、表示装置本体の電源をオフにするように構成されている。このように構成すれば、受信部から所定の距離以上離れた位置からリモコン送信機の距離測定入力部を入力しなければ電源がオフにされるため、確実に使用者を第１の時間間隔で受信部から所定の距離以上離れた位置に移動させることができる。
【００１４】
この場合において、好ましくは、表示装置本体は、リモコン送信機の送信部と表示装置本体の受信部との距離を記憶可能な記憶部をさらに含み、記憶部は、制御部により検出された距離を所定の距離として記憶可能に構成されている。このように構成すれば、所定の距離を変更可能な表示装置を得ることができる。
【００１５】
上記一の局面による表示装置において、好ましくは、表示装置本体の制御部は、使用者に対してリモコン送信機の距離測定入力部の入力を促すメッセージを表示した後第２の時間が経過する前に、受信部が所定の信号を受信しない場合に、表示装置本体の電源をオフにするように構成されている。このように構成すれば、使用者がリモコン送信機の距離測定入力部の入力を促すメッセージを無視した場合、表示装置本体の電源がオフにされるので、さらに確実に使用者を第１の時間間隔で受信部から所定の距離以上離れた位置に移動させることができる。
【００１６】
上記一の局面による表示装置において、好ましくは、表示装置本体の制御部は、第１の時間間隔で使用者に対してリモコン送信機の距離測定入力部の入力を促すメッセージを表示部に表示させる距離監視モードと、メッセージを表示部に表示させない非距離監視モードとを切替可能に構成されている。このように構成すれば、距離監視モードを使用する必要のない使用者が表示装置を使用する場合に、距離監視モードを容易に解除することができる。
【発明を実施するための最良の形態】
【００１７】
以下、本発明を具体化した実施形態を図面に基づいて説明する。
【００１８】
図１は、本発明の一実施形態による液晶テレビジョンの全体構成を示した図である。図２は、図１に示した一実施形態による液晶テレビジョンの回路構成を示したブロック図である。図３は、図１に示した一実施形態による液晶テレビジョンを操作するリモコン送信機を示した図である。図４は、図１に示した一実施形態による液晶テレビジョンの表示画面部にＯＳＤが表示されている状態を示した図である。まず、図１〜図４を参照して、本発明の一実施形態による液晶テレビジョン１の構成について説明する。なお、本実施形態では、表示装置の一例として液晶テレビジョンについて説明する。
【００１９】
本発明の一実施形態による液晶テレビジョン１は、図１に示すように、表示画面部１０の左右両側に、右スピーカ部１１および左スピーカ部１２がそれぞれ配置されている。また、リモコン送信機６０が液晶テレビジョン本体１００を遠隔操作可能に設けられている。なお、液晶テレビジョン本体１００は、本発明の「表示装置本体」の一例であり、本実施形態の液晶テレビジョン１は、リモコン送信機６０および液晶テレビジョン本体１００によって構成されている。
【００２０】
また、液晶テレビジョン１は、図２に示すように、液晶テレビジョン本体１００の内部に設けられた制御回路部３０が、アンテナケーブル５１を介してアンテナ５０に接続されている。また、液晶テレビジョン本体１００では、制御回路部３０が映像および画像を表示する表示画面部１０、音声を出力する右スピーカ部１１および左スピーカ部１２にそれぞれ接続されている。つまり、液晶テレビジョン本体１００は、アンテナ５０により放送局から受信されたテレビジョン放送波のうちの映像信号を表示画面部１０に出力するとともに、音声信号を右スピーカ部１１および左スピーカ部１２にそれぞれ出力することが可能に構成されている。なお、表示画面部１０は、本発明の「表示部」の一例である。
【００２１】
また、制御回路部３０は、アンテナ５０を介してアナログテレビジョン放送およびデジタルテレビジョン放送の放送信号波を受信するチューナ部３１と、映像信号および音声信号の出入力を切り換える役割を有するＡＶセレクタ３２と、チューナ部３１からのデジタル映像・音声信号をデコード（復号）するＡＶデコーダ３３と、チューナ部３１からのアナログ映像信号をＹ／Ｃ分離する３次元Ｙ／Ｃ分離回路部３４と、ＡＶデコーダ３３および３次元Ｙ／Ｃ分離回路部３４からの映像信号の各種処理を行う映像処理部３５と、ＡＶセレクタ３２からの音声信号（ＡＶデコーダ３３を経由する音声信号を含む）を処理する音声処理部３６とを備えている。
【００２２】
ここで、本実施形態では、制御回路部３０は、上述の構成要素に加えて、ＣＰＵからなり、液晶テレビジョン本体１００の全体の制御を司る制御部３７と、リモコン送信機６０からのリモコン信号（赤外線など）を受光するとともに電気信号に変換して制御部３７に指令を与えるリモコン受信部３８と、右スピーカ部１１および左スピーカ部１２から発せられる音量を複数の段階に分けた状態で格納されている音量テーブル３９と、後述する距離登録モードの際に登録されるリモコン受信部３８とリモコン送信機６０の送信部６６との間の所定の距離が記憶されている登録距離記憶部４０と、表示画面部１０にＯＳＤ（オンスクリーンディスプレイ）を表示する際の処理を行うＯＳＤ表示処理部４１とをさらに備えている。なお、リモコン受信部３８は、本発明の「受信部」の一例であり、登録距離記憶部４０は、本発明の「記憶部」の一例である。
【００２３】
チューナ部３１は、アンテナ５０を介してデジタルテレビジョン放送の映像および音声データを含む高周波デジタル変調信号のうちから任意に選択された周波数のデジタル変調信号を取り出すとともに、選択されたデジタル変調信号を復調して出力する機能を有している。また、ＡＶデコーダ３３は、ＡＶセレクタ３２によって分離された映像信号（実線で示した矢印）および音声信号（破線で示した矢印）のそれぞれに対してデコード処理（符号の復号化）を行い、映像データおよび音声データを生成する機能を有している。なお、映像データ（実線で示した矢印）および音声データ（破線で示した矢印）は、それぞれ、映像処理部３５および音声処理部３６によってＤ／Ａ変換処理（デジタル／アナログ変換処理）が行われた上で、表示画面部１０、右スピーカ部１１および左スピーカ部１２から、それぞれ出力されるように構成されている。
【００２４】
また、チューナ部３１は、アンテナ５０を介してアナログテレビジョン放送の放送信号波から、選択された周波数の放送信号波を復調して出力する機能を有している。また、図２に示すように、チューナ部３１からの映像信号（実線で示した矢印）および音声信号（破線で示した矢印）は、ＡＶセレクタ３２によって分離された映像信号（コンポジット信号）が３次元Ｙ／Ｃ分離回路部３４および映像処理部３５を経由して表示画面部１０から出力されるように構成されている。また、ＡＶセレクタ３２によって分離された音声信号は、音声処理部３６を経由して右スピーカ部１１および左スピーカ部１２からそれぞれ出力されるように構成されている。
【００２５】
ここで、本実施形態では、制御部３７は、内部にタイマー３７ａを有している。この制御部３７の内部のタイマー３７ａは、リモコン送信機６０の測距ボタン６８を押圧（入力）するように促すメッセージを表示画面部１０に時間間隔ｔ１（約１０分）毎で表示させるように構成されている。具体的には、制御部３７は、リモコン送信機６０の測距ボタン６８を押圧した１０分後にＯＳＤ表示処理部４１を介して、表示画面部１０に「リモコンの測距ボタンを押してください」（図４参照）というメッセージを表示させるように構成されている。なお、上記メッセージを表示させる時間間隔ｔ１（約１０分）は、本発明の「第１の時間」の一例である。また、制御部３７は、リモコン受信部３８により受信されたリモコン送信機６０の後述するタイマー６７ａの時間と、制御部３７の内部のタイマー３７ａの時間とから、リモコン受信部３８とリモコン送信機６０との距離を検出可能に構成されている。
【００２６】
また、本実施形態では、制御部３７は、後述する測距ボタン６８が押圧されることにより制御部３７により検出されるリモコン受信部３８とリモコン送信機６０の後述する送信部６６との間の距離が、登録距離記憶部４０に予め登録されているリモコン受信部３８とリモコン送信機６０の送信部６６との間の所定の距離よりも小さいと判断した場合には、液晶テレビジョン本体１００の電源をオフにする機能を有する。さらに、制御部３７は、視聴者に対してリモコン送信機６０の測距ボタン６８を押圧するよう促すメッセージを表示した後の時間ｔ２（約１分）が経過する前に、リモコン受信部３８がリモコン送信機６０の測距ボタン６８が押圧された信号を受信していないと判断した場合にも、液晶テレビジョン本体１００の電源をオフにする機能を有する。なお、リモコン送信機６０の測距ボタン６８を押圧するよう促すメッセージを表示した後の時間ｔ２（約１分）は、本発明の「第２の時間」の一例である。
【００２７】
また、音量テーブル３９には、右スピーカ部１１および左スピーカ部１２からそれぞれ出力する音質（周波数、波形および音圧レベルなど）が予め記憶されている。そして、この音量テーブル３９に格納されているデータに基づいて、制御部３７は、右スピーカ部１１および左スピーカ部１２からそれぞれの音を出力するように構成されている。また、制御部３７は、後述する測距ボタン６８が押圧されることによりリモコン送信機６０と液晶テレビジョン本体１００との距離が検出された際に、液晶テレビジョン本体１００とリモコン送信機６０との距離に適した音量になるように音量テーブル３９から所定の音量を選択する機能を有する。
【００２８】
また、ＯＳＤ表示処理部４１は、リモコン送信機６０の後述する測距ボタン６８が押圧されることによりリモコン送信機６０と液晶テレビジョン本体１００との距離が検出された際に、制御部３７により、ＯＳＤが液晶テレビジョン本体１００とリモコン送信機６０との距離に適した文字の大きさが選択されるように構成されている。
【００２９】
また、制御回路部３０の各構成要素は、バス（伝送路）４２によって互いに接続されることによって、制御信号および制御上のデータを互いに通信することが可能なように構成されている。
【００３０】
また、リモコン送信機６０は、図３に示すように、液晶テレビジョン本体１００の電源をオン／オフさせる電源ボタン６１と、音声切換および入力切換などのモード切換ボタン群６２と、テレビ番組のチャンネル番号を直接入力して選局するためのチャンネル入力ボタン群６３と、現在選局されているチャンネル番号をアップ／ダウンさせることによって選局を行うためのチャンネルアップ／ダウンボタン６４と、音量調節ボタン６５とから主に構成されている。
【００３１】
ここで、本実施形態では、図２および図３に示すように、リモコン送信機６０の先端部には、上述したボタンなどを操作した際の信号を、たとえば、音波などにより送信するための送信部６６が設けられている。また、リモコン送信機６０の内部には、制御部６７が設けられており、制御部６７には、タイマー６７ａが内蔵されている。タイマー６７ａは、液晶テレビジョン本体１００の制御部３７のタイマーと実質的に同じ時間になるように設定されている。また、タイマー６７ａの時間は、送信部６６から時間信号として液晶テレビジョン本体１００のリモコン受信部３８に送信可能に構成されている。
【００３２】
また、本実施形態では、リモコン送信機６０には、液晶テレビジョン本体１００の制御部３７にリモコン送信機６０の送信部６６と、液晶テレビジョン本体１００のリモコン受信部３８との間の距離を検出させるための測距ボタン６８が設けられている。なお、測距ボタン６８は、本発明の「距離測定入力部」の一例である。この測距ボタン６８は、押圧（入力）された際に制御部６７のタイマー６７ａの時間信号を、送信部６６から液晶テレビジョン本体１００のリモコン受信部３８に送信させる機能を有する。そして、液晶テレビジョン本体１００の制御部３７は、タイマー６７ａの時間と制御部３７のタイマー３７ａの時間とに基づいて、リモコン送信機６０の送信部６６と、液晶テレビジョン本体１００のリモコン受信部３８との間の距離を検出するように構成されている。なお、タイマー６７ａの時間信号は、本発明の「所定の信号」の一例である。
【００３３】
また、本実施形態では、リモコン送信機６０の測距ボタン６８の隣には、時間間隔ｔ１（約１０分）で視聴者に対してリモコン送信機６０の測距ボタン６８の押圧（入力）を促すメッセージを表示画面部１０に表示させる距離監視モードと、メッセージを表示画面部１０に表示させない非距離監視モードとを切替可能な距離監視モードボタン６９が設けられている。この距離監視モードボタン６９は、距離監視モードの時に押圧することにより、非距離監視モードに切替可能であるとともに、非距離監視モードの時に押圧することにより、距離監視モードに切替可能に構成されている。
【００３４】
また、リモコン送信機６０の距離監視モードボタン６９の隣には、距離登録モードボタン７０が設けられている。この距離登録モードボタン７０は、距離登録モードの登録操作時のリモコン受信部３８とリモコン送信機６０の送信部６６との間の所定の距離を登録距離記憶部４０に予め登録させる際に入力するボタンである。つまり、距離登録モードボタン７０は、押圧されることによって、制御部３７を距離登録モードに移行させる信号を送信部６６から送信させる機能を有する。
【００３５】
図５は、図１に示した一実施形態による液晶テレビジョンの距離登録モードにおける距離登録操作を説明するためのフローチャートである。次に、図２および図５を参照して、本実施形態による液晶テレビジョン１の距離登録モードにおける距離登録操作について説明する。
【００３６】
液晶テレビジョン本体１００（図２参照）の電源がオン状態である場合、まずステップＳ１において、図５に示すように、制御部３７（図２参照）により、リモコン送信機６０（図２参照）の距離登録モードボタン７０（図２参照）が押圧されたか否かが判断される。具体的には、液晶テレビジョン本体１００のリモコン受信部３８（図２参照）が、距離登録モードボタン７０が押圧された際にリモコン送信機６０の送信部６６（図２参照）から送信される信号を受信したか否かが判断される。そして、ステップＳ１において、リモコン送信機６０の距離登録モードボタン７０が押圧されていないと判断された場合には、距離登録モードボタン７０が押圧されるまでステップＳ１の判断が繰り返される。また、ステップＳ１において、リモコン送信機６０の距離登録モードボタン７０が押圧されたと判断された場合には、ステップＳ２に進む。
【００３７】
次に、ステップＳ２において、制御部３７により、リモコン送信機６０の測距ボタン６８（図２参照）が押圧されたか否かが判断される。具体的には、液晶テレビジョン本体１００のリモコン受信部３８が、測距ボタン６８が押圧された際にリモコン送信機６０の送信部６６から送信される信号を受信したか否かが判断される。そして、ステップＳ２において、リモコン送信機６０の測距ボタン６８が押圧されていないと判断された場合には、測距ボタン６８が押圧されるまでステップＳ２の判断が繰り返される。また、ステップＳ２において、リモコン送信機６０の測距ボタン６８が押圧されたと判断された場合には、ステップＳ３に進む。
【００３８】
そして、ステップＳ３において、制御部３７により、リモコン送信機６０の送信部６６と液晶テレビジョン本体１００のリモコン受信部３８との距離が検出されて、ステップＳ４に進む。その後、ステップＳ４において、制御部３７により検出されたリモコン送信機６０の送信部６６と液晶テレビジョン本体１００のリモコン受信部３８との距離は、登録距離記憶部４０に記憶されて、液晶テレビジョン１の距離登録モードにおける距離登録操作が終了する。
【００３９】
図６は、図１に示した一実施形態による液晶テレビジョンの距離監視モードにおける距離監視操作を説明するためのフローチャートである。次に、図２および図６を参照して、本実施形態による液晶テレビジョン１の距離監視モードにおける距離監視操作について説明する。
【００４０】
液晶テレビジョン本体１００（図２参照）の電源がオン状態である場合で、かつ、非距離監視モードである場合、まずステップＳ１１において、図６に示すように、制御部３７（図２参照）により、リモコン送信機６０の距離監視モードボタン６９（図２参照）が押圧されたか否かが判断される。具体的には、液晶テレビジョン本体１００のリモコン受信部３８（図２参照）が、距離監視モードボタン６９が押圧された際にリモコン送信機６０の送信部６６（図２参照）から送信される信号を受信したか否かが判断される。そして、ステップＳ１１において、リモコン送信機６０の距離監視モードボタン６９が押圧されていないと判断された場合には、距離監視モードボタン６９が押圧されるまでステップＳ１１の判断が繰り返される。また、ステップＳ１１において、リモコン送信機６０の距離監視モードボタン６９が押圧されたと判断された場合には、ステップＳ１２に進む。その後、ステップＳ１２において、制御部３７のタイマー３７ａがオンされる。つまり、制御部３７のタイマー３７ａにより、所定の時間ｔ１（１０分）の計測が開始されるとともに、ステップＳ１３に進む。
【００４１】
その後、ステップＳ１３において、制御部３７により、制御部３７のタイマー３７ａ（図２参照）がオフされた（タイマー３７ａがオンされた時から１０分経過した）か否かが判断される。そして、ステップＳ１３において、タイマー３７ａがオフされていない（タイマー３７ａがオンされた時から１０分経過していない）と判断された場合には、タイマー３７ａがオフされるまでステップＳ１３の判断が繰り返される。また、ステップＳ１３において、タイマー３７ａがオフされた（タイマー３７ａがオンされた時から１０分経過した）と判断された場合には、ステップＳ１４に進む。その後、ステップＳ１４において、ＯＳＤ表示処理部４１（図２参照）は、視聴者に対して表示画面部１０（図２参照）に「リモコンの測距ボタンを押してください」というリモコン送信機６０の測距ボタン６８を押圧するように促すメッセージが表示されるように制御されるとともに、ステップＳ１５に進む。
【００４２】
その後、ステップＳ１５において、制御部３７により、視聴者に対してリモコン送信機６０の測距ボタン６８を押圧するよう促すメッセージが表示画面部１０に表示された後、時間ｔ２（約１分）が経過する前に、リモコン送信機６０の測距ボタン６８が押圧されたか否かが判断される。そして、ステップＳ１５において、時間ｔ２（約１分）が経過する前に、リモコン送信機６０の測距ボタン６８が押圧されていないと判断された場合には、ステップＳ１６に進むとともに、液晶テレビジョン本体１００の電源がオフされて、液晶テレビジョン１の距離監視モードにおける距離監視操作が終了する。また、ステップＳ１５において、時間ｔ２（約１分）が経過する前に、リモコン送信機６０の測距ボタン６８が押圧されていると判断された場合には、ステップＳ１７に進む。
【００４３】
その後、ステップＳ１７において、制御部３７により、リモコン送信機６０の送信部６６と液晶テレビジョン本体１００のリモコン受信部３８との距離が検出されて、ステップＳ１８に進む。そして、ステップＳ１８において、制御部３７により、ステップＳ１７において検出されたリモコン送信機６０の送信部６６と液晶テレビジョン本体１００のリモコン受信部３８との距離が、予め登録距離記憶部４０（図２参照）に記憶された距離よりも大きいか否かが判断される。そして、ステップＳ１８において、ステップＳ１７において検出されたリモコン送信機６０の送信部６６と液晶テレビジョン本体１００のリモコン受信部３８との距離が、予め登録距離記憶部４０に記憶された距離よりも大きいと判断された場合には、ステップＳ１２に戻る。また、ステップＳ１８において、ステップＳ１７において検出されたリモコン送信機６０の送信部６６と液晶テレビジョン本体１００のリモコン受信部３８との距離が、予め登録距離記憶部４０に記憶された距離よりも大きくない（小さい）と判断された場合には、ステップＳ１６に進んで液晶テレビジョン本体１００の電源がオフされるとともに、液晶テレビジョン１の距離監視モードにおける距離監視操作が終了する。
【００４４】
図７は、図１に示した一実施形態による液晶テレビジョンの非距離監視モードにおける音量およびＯＳＤ表示補正を説明するためのフローチャートである。次に、図２および図７を参照して、本実施形態による液晶テレビジョン１の非距離監視モードにおける音量およびＯＳＤ表示補正について説明する。
【００４５】
液晶テレビジョン本体１００（図２参照）の電源がオン状態である場合で、かつ、非距離監視モードである場合、まずステップＳ２１において、図７に示すように、制御部３７（図２参照）により、リモコン送信機６０の測距ボタン６８（図２参照）が押圧されたか否かが判断される。具体的には、液晶テレビジョン本体１００のリモコン受信部３８（図２参照）が、測距ボタン６８が押圧された際にリモコン送信機６０の送信部６６（図２参照）から送信される信号を受信したか否かが判断される。そして、ステップＳ２１において、リモコン送信機６０の測距ボタン６８が押圧されていないと判断された場合には、測距ボタン６８が押圧されるまでステップＳ２１の判断が繰り返される。また、ステップＳ２１において、リモコン送信機６０の測距ボタン６８が押圧されたと判断された場合には、ステップＳ２２に進む。
【００４６】
その後、ステップＳ２２において、制御部３７により、リモコン送信機６０の送信部６６と液晶テレビジョン本体１００のリモコン受信部３８との距離が検出されて、ステップＳ２３に進む。そして、ステップＳ２３において、リモコン送信機６０の送信部６６と液晶テレビジョン本体１００のリモコン受信部３８との距離に基づいて、音量テーブル３９より適当な音量が選択されて、ステップＳ２４に進む。その後、ステップＳ２４において、リモコン送信機６０の送信部６６と液晶テレビジョン本体１００のリモコン受信部３８との距離に基づいて、ＯＳＤ表示処理部４１より適当な大きさのＯＳＤの文字サイズが選択されるとともに、液晶テレビジョン１の非距離監視モードにおける音量およびＯＳＤ表示補正が終了する。
【００４７】
本実施形態では、上記のように、時間間隔ｔ１（約１０分間隔）でリモコン受信部３８の測距ボタン６８の入力を促すようにメッセージを表示画面部１０に表示させる距離監視モードに制御可能な制御部３７を含む液晶テレビジョン本体１００を設けることによって、使用者が液晶テレビジョン本体１００に近づいている場合に、液晶テレビジョン本体１００に近づきすぎている旨を、使用者に対して再認識させることができる。これにより、時間間隔ｔ１（約１０分間隔）でリモコン受信部３８の測距ボタン６８の入力を促すメッセージを表示画面部１０に表示させない場合と比べて、使用者が近距離で液晶テレビジョン本体１００を視聴するのを抑制することができる。
【００４８】
また、本実施形態では、上記のように、液晶テレビジョン本体１００の制御部３７を、リモコン受信部３８と送信部６６との間の距離が登録距離記憶部４０に記憶された所定の距離よりも大きくないと判断した場合に、液晶テレビジョン本体１００の電源をオフにするように構成することによって、リモコン受信部３８から所定の距離以上離れた位置からリモコン送信機６０の測距ボタン６８を入力しなければ電源がオフにされるため、確実に使用者を時間間隔ｔ１（約１０分間隔）でリモコン受信部３８から所定の距離以上離れた位置に移動させることができる。
【００４９】
また、本実施形態では、上記のように、液晶テレビジョン本体１００の制御部３７を、使用者に対してリモコン送信機６０の測距ボタン６８の入力を促すメッセージを表示した後時間ｔ２（約１分）が経過する前に、測距ボタン６８が押圧された際の信号をリモコン受信部３８が受信しない場合に、液晶テレビジョン本体１００の電源をオフにするように構成することによって、使用者がリモコン送信機６０の測距ボタン６８の入力を促すメッセージを無視した場合、液晶テレビジョン本体１００の電源がオフにされるので、さらに確実に使用者を時間間隔ｔ１（約１０分）でリモコン受信部３８から所定の距離以上離れた位置に移動させることができる。
【００５０】
また、本実施形態では、上記のように、登録距離記憶部４０を、制御部３７により検出された距離を所定の距離として予め記憶可能に構成することによって、所定の距離を変更可能な液晶テレビジョン１を得ることができる。
【００５１】
また、本実施形態では、上記のように、液晶テレビジョン本体１００の制御部３７を、時間間隔ｔ１（約１０分）で使用者に対してリモコン送信機６０の測距ボタン６８の入力を促すメッセージを表示画面部１０に表示させる距離監視モードと、メッセージを表示画面部１０に表示させない非距離監視モードとを切替可能に構成することによって、距離監視モードを使用する必要のない使用者が液晶テレビジョン本体１００を使用する場合に、距離監視モードを容易に解除することができる。
【００５２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５３】
たとえば、上記実施形態では、表示装置の一例としての液晶テレビジョンに本発明を適用した例を示したが、本発明はこれに限らず、表示画面部を備えた表示装置であれば、液晶テレビジョン以外の表示装置にも適用可能である。
【００５４】
また、上記実施形態では、リモコン送信機に測距ボタンをその他のボタンとは独立した状態で設けた例を示したが、本発明はこれに限らず、測距ボタンをその他ボタンのうち少なくともいずれか１つのボタンと共通のボタンとして設けるようにしてもよい。
【００５５】
また、上記実施形態では、リモコン受信部と送信部との距離に係わらず１０分間隔で表示画面部に測距ボタンの入力を促すメッセージを表示させるように距離監視モードを構成した例を示したが、本発明はこれに限らず、リモコン受信部と送信部との距離の大きさに対応するように表示画面部に測距ボタンの入力を促すメッセージを表示させる時間間隔を変化させるように構成してもよい。具体的には、リモコン受信部と送信部との距離が所定の距離よりも大きければ大きいほど、次回に表示画面部に表示される測距ボタンの入力を促すメッセージが表示されるまでの時間間隔を、１０分よりも長くするように構成してもよい。
【００５６】
また、上記実施形態では、距離監視モードと非距離監視モードとを距離監視モードボタン６９を押圧するだけで切替可能に構成した例を示したが、本発明はこれに限らず、距離監視モードと非距離監視モードとを切り替える際に、距離監視モードボタン６９を押圧するとともにパスワードを入力するように構成してもよい。
【図面の簡単な説明】
【００５７】
【図１】本発明の一実施形態による液晶テレビジョンの全体構成を示した図である。
【図２】図１に示した一実施形態による液晶テレビジョンの回路構成を示したブロック図である。
【図３】図１に示した一実施形態による液晶テレビジョンを操作するリモコン送信機を示した図である。
【図４】図１に示した一実施形態による液晶テレビジョンの表示画面部にＯＳＤが表示されている状態を示した図である。
【図５】図１に示した一実施形態による液晶テレビジョンの距離登録モードにおける距離登録操作を説明するためのフローチャートである。
【図６】図１に示した一実施形態による液晶テレビジョンの距離監視モードにおける距離監視操作を説明するためのフローチャートである。
【図７】図１に示した一実施形態による液晶テレビジョンの非距離監視モードにおける音量およびＯＳＤ表示補正を説明するためのフローチャートである。
【符号の説明】
【００５８】
１  液晶テレビジョン（表示装置）
１０  表示画面部
３７  制御部（距離検出手段）
３８  リモコン受信部（受信部）
４０  登録距離記憶部（記憶部）
６０  リモコン送信機
６６  送信部
６８  測距ボタン（距離測定入力部）
１００  液晶テレビジョン本体（表示装置本体）
ｔ１  時間（第１の時間）
ｔ２  時間（第２の時間）
【図１】
2009044692.tif 000003
【図２】
2009044692.tif 000004
【図３】
2009044692.tif 000005
【図４】
2009044692.tif 000006
【図５】
2009044692.tif 000007
【図６】
2009044692.tif 000008
【図７】
2009044692.tif 000009